(57)【特許請求の範囲】
【請求項１】
燃料を収容する燃料タンクと、前記燃料を燃焼する燃焼部材と、両側に横車が固着されたヤスリ車に下方から発火石が圧接されて前記燃焼部材に着火する点火手段と、前記ヤスリ車の回転軸を支持する支柱部と、前記燃焼部材の先端を開閉可能に閉塞するキャップとを備え、該キャップが前記ヤスリ車と反対側の部分が支軸により回動自在に支持されたライターにおいて、
前記キャップは開閉スプリングで開方向に付勢されると共に、ヤスリ車側の端部に前記ヤスリ車の回転軸に係止可能なストッパー部を有し、
前記回転軸は、前記支柱部に設けられた傾斜溝により、前記発火石を押し込む方向及び前記キャップから離れる後退方向に、係止位置から解除位置へ移動可能に支持されて、前記キャップの前記ストッパー部との当接に伴い前記係止位置と前記解除位置とに移動し、
前記キャップを閉じたときに前記ストッパー部が前記回転軸に係止されて閉状態に保持され、前記横車の操作に伴い前記回転軸が前記解除位置に移動して前記ストッパー部との係止が外れ前記キャップを開くことを特徴とするライター。
【請求項２】
前記横車の着火操作に連係した押し回し操作により、前記回転軸と前記ストッパー部との係止が外れて前記キャップが開くと同時に前記燃焼部材に着火することを特徴とする請求項１に記載のライター。
【請求項３】
前記回転軸が前記係止位置から前記解除位置へ移動した後に前記係止位置へ移動させて前記ストッパー部の上部側に係止して前記キャップの閉状態を保持し、前記横車の押し込み方向の操作に伴って前記係止位置から前記解除位置へ後退移動して前記ストッパー部との係止が外れることを特徴とする請求項１又は２に記載のライター。
【請求項４】
前記回転軸は、前記発火石を前記ヤスリ車に付勢する石押しスプリングの付勢力で前記解除位置から前記係止位置へ移動することを特徴とする請求項１，２又は３に記載のライター。
【請求項５】
前記燃料が液体燃料であり、前記燃焼部材が前記燃料タンク内の液体燃料を吸い上げ先端部で燃焼させる燃焼芯であることを特徴とする請求項１に記載のライター。
【発明の詳細な説明】
【０００１】
【発明の属する技術分野】
本発明は、発火石を使用したヤスリ式の点火手段を備えると共に燃焼部材の先端を開閉可能に閉塞するキャップを備えたライターに関し、特に、キャップの開閉機構に関するものである。
【０００２】
【従来の技術】
従来より、液化ガス燃料を使用するライター又はアルコール等の液体燃料を使用するライターにおいて、ライター上部に開閉回動するキャップを設置したものが知られている。
【０００３】
このキャップ開閉機構としては、例えば特開昭５３−８３８７２号公報に見られるように、着火を行うヤスリ車の回転軸と同軸にキャップの開閉中心を設置したものがある。
【０００４】
【発明が解決しようとする課題】
しかして、上記のようなライターにおいては、使用時のキャップの開閉角度を大きくすることができない構造であるので、キャップ先端が炎と接触しやすく、キャップが加熱して閉操作に支障を来す問題がある。また、キャップと炎が近接しているため、煙草等に着火しにくいという問題もある。
【０００５】
一方、キャップをヤスリ車を含むライターの上部全体を開閉するものでは、その開閉操作は比較的容易に行えるが、キャップを燃焼部分の上部についてのみ開閉するように小型に設けたものでは、このキャップの一部に指を掛けて開作動する操作が行いにくく操作性に難点がある。また、キャップの開操作とヤスリ車による着火操作とが連係していないと、使用が２段階操作となって面倒なものである。
【０００６】
さらに、液体燃料を使用したライターにおいては、非使用状態の保管時等にキャップが開くと液体燃料が蒸発して消耗する問題があり、キャップが閉状態でロックされていることが好ましい。
【０００７】
本発明は上記事情に鑑み、キャップの開閉角度を大きくして炎と近接しない構造とし、かつキャップを直接操作しないで開作動し得ると共に閉状態に係止するようにしたライターを提供せんとするものである。
【０００８】
【課題を解決するための手段】
上記課題を解決した本発明のライターは、燃料を収容する燃料タンクと、前記燃料を燃焼する燃焼部材と、両側に横車が固着されたヤスリ車に下方から発火石が圧接されて前記燃焼部材に着火する点火手段と、前記ヤスリ車の回転軸を支持する支柱部と、前記燃焼部材の先端を開閉可能に閉塞するキャップとを備え、該キャップが前記ヤスリ車と反対側の部分が支軸により回動自在に支持されたライターにおいて、前記キャップは開閉スプリングで開方向に付勢されると共に、ヤスリ車側の端部に前記ヤスリ車の回転軸に係止可能なストッパー部を有し、前記回転軸は、前記支柱部に設けられた傾斜溝により、前記発火石を押し込む方向及び前記キャップから離れる後退方向に、係止位置から解除位置へ移動可能に支持されて、前記キャップの前記ストッパー部との当接に伴い前記係止位置と前記解除位置とに移動し、前記キャップを閉じたときに前記ストッパー部が前記回転軸に係止されて閉状態に保持され、前記横車の操作に伴い前記回転軸が前記解除位置に移動して前記ストッパー部との係止が外れ前記キャップを開くことを特徴とするものである。
【０００９】
前記横車の着火操作に連係した押し回し操作により、前記回転軸とストッパー部との係止が外れてキャップが開くと同時に前記燃焼部材に着火するのが望ましい。
【００１０】
また、前記ヤスリ車の回転軸は、支柱部に設けられた傾斜溝により、前記発火石を押し込む方向及びキャップから離れる後退方向に、係止位置から解除位置へ移動可能に支持され、キャップの閉作動時にはストッパー部との当接に伴い回転軸が係止位置から解除位置へ移動した後に係止位置へ移動させてストッパー部の上部側に係止してキャップの閉状態を保持し、横車の押し込み方向の操作に伴って係止位置から解除位置へ後退移動してストッパー部との係止が外れるように設けるのが好適である。
【００１１】
前記回転軸は、発火石をヤスリ車に付勢する石押しスプリングの付勢力で解除位置から係止位置へ移動するのが好適である。
【００１２】
燃料が液体燃料であり、燃焼部材が燃料タンク内の液体燃料を吸い上げ先端部で燃焼させる燃焼芯であるライターに適用するのが好適である。
【００１３】
【発明の効果】
本発明のライターによれば、キャップを閉じたときには、ヤスリ車の回転軸にキャップのストッパー部が係止してロック状態にあり、キャップの閉状態を確実に保持でき、保管時等の非使用時に不用意にキャップが開いて液体燃料が蒸発するなどの不具合が発生しない。さらに、キャップの開作動が横車を操作することによって行え、小型のキャップでも操作性に優れている。
【００１４】
一方、横車の着火操作に連係した押し回し操作を行うことにより、回転軸が解除位置に移動してストッパー部との係止が外れてキャップが開くと同時に着火するように設けたものでは、使用操作が簡素で操作性に優れている。
【００１５】
【発明の実施の形態】
以下、本発明の一つの実施の形態によるライターを図面に沿って説明する。図１はライター上部の側面図、図２はその断面図を示す。なお、以下の説明では、ライターの使用態様に基づき、図１における左方を前方、右方を後方と表記している。
【００１６】
ライター１は、紙素材又はプラスチック材等で有底筒状に形成された燃料タンク２を有し、この燃料タンク２の内部には液体燃料を含浸保持する吸液繊維材よりなる図示しない中綿が配置される。燃料タンク２の上端開口部にはダイキャスト成形された金属製又は樹脂製のタンク上蓋４が固着され、このタンク上蓋４にはブラケット５が固着され、前記ライター１の上部に前記燃料を燃焼する燃焼部材６と、この燃焼部材６の先端を開閉可能に閉塞するキャップ７と、燃焼部材６に着火させる点火手段１０とが設置される。
【００１７】
前記タンク上蓋４は、水平壁４ａの周囲に上記燃料タンク２の周面形状に合致する周壁４ｂを有し、周壁４ｂの下部内側には燃料タンク２の上端開口部に挿入される嵌合壁部４ｃが下方に延びて形成されている。このタンク上蓋４の水平壁４ａの前部側には、上下方向に延びる管状の燃焼部材保持部４１が形成され、この燃焼部材保持部４１の上端は周壁４ｂの上端より上方に突出している。この燃焼部材保持部４１の内部には、棒状の燃焼部材６が挿通支持される。該燃焼部材６は燃焼芯であり、下部が燃料タンク２内に突出して前記中綿に接触して燃料を吸い上げ、上部が前記燃焼部材保持部４１の上端より上方に突出して燃料を燃焼させる。
【００１８】
さらに、上記タンク上蓋４の水平壁４ａの後部側には、上下方向に延びる筒状の発火石格納部４２が設けられ、この発火石格納部４２は上端が周壁４ｂの上端より上方に突出し、下端部は嵌合壁部４ｃの下端にまで延び、内部に有底の収納穴が形成され、点火手段１０の発火石１１及び石押しスプリング１２を収納する。
【００１９】
前記タンク上蓋４の上部には金属板により成形した金属製のブラケット５が装着される。このブラケット５の平板部５ａには、前記タンク上蓋４の燃焼部材保持部４１が貫通する第１の窓部５ｂが開口されると共に、後部側の左右両側には点火手段１０のヤスリ車１３の回転軸１５を回転可能に支持する傾斜溝５２が形成された支柱部５１が立設され、前部側の左右両側にはキャップ７を枢支する枢支部５３が立設されている。前記支柱部５１の間の平板部５ａには前記タンク上蓋４の発火石格納部４２が貫通する第２の窓部５ｃが開口されている。
【００２０】
前記点火手段１０は、周面がヤスリ面に形成されたリング状のヤスリ車１３を有し、このヤスリ車１３の両側部に外周が凹凸形状に設けられ着火時に回転操作される横車１４が固着されて両者は一体に回転し、両側の横車１４の外面中心部に回転軸１５が突設されている。この回転軸１５が前記ブラケット５の支柱部５１に支持され、発火石１１及び石押しスプリング１２は前記タンク上蓋４の発火石格納部４２に収容され、上記ヤスリ車１３の周面に発火石１１の先端が石押しスプリング１２の付勢力によって押圧される構造に設けられ、横車１４の回転操作によって燃焼部材６に向けて火花が飛ぶようになっている。
【００２１】
前記キャップ７は前記点火手段１０の部分を除くライター１の上部の前半部を開閉可能に覆うもので、キャップ７の内面には燃焼部材６の先端部を閉塞する内キャップ７１が取り付けられている。このキャップ７は前記ヤスリ車１３と反対側の前端下部が支軸７５により回動可能に支持され、開閉スプリング７６で開方向に付勢されている。すなわち、前記キャップ７の前端下部の両側には取付部７２が設けられ、この取付部７２を貫通する支軸７５が前記ブラケット５の枢支部５３に支持されている。また、上記支軸７５には捩りバネによる開閉スプリング７６が装着され、この開閉スプリング７６の一端はキャップ７の内面に当接し、他端がブラケット５の平板部５ａに当接して、キャップ７を開方向に付勢する。
【００２２】
前記キャップ７の内面に取り付けられた内キャップ７１の下端周縁部は、前記タンク上蓋４の前記燃焼部材保持部４１の外周部に嵌着された環状部材２１の上面部に圧着して、燃焼部材６の先端部を含む燃焼部材保持部４１の先端外周部を囲繞して密閉する。
【００２３】
さらに、前記キャップ７の後端部両側には、後方に前記支柱部５１の外側へ向けて延びる延長部７３の先端にストッパー部７４が設けられ、このストッパー部７４は突出先端の上下に斜面が形成されてなり、先端が前記支柱部５１の傾斜溝５２から外側に突出する前記回転軸１５の端部に係止可能である。
【００２４】
前記回転軸１５は、キャップ７の閉作動におけるストッパー部７４との当接に伴い係止位置と解除位置とに移動可能に前記支柱部５１の傾斜溝５２に支持されている。すなわち、前記傾斜溝５２は上縁部が前部のキャップ７側で高く、後部で低くなるように傾斜して形成されている。前記回転軸１５は、傾斜溝５２の上方前部に移動したときが係止位置（図１の位置）であり、傾斜溝５２の下方後部に移動したときが解除位置（図３の位置）である。なお、回転軸１５が解除位置へ移動した状態でヤスリ車１３の中心位置が発火石の中心位置となるように設定されている。
【００２５】
上記回転軸１５は前記石押しスプリング１２の付勢力によって上方に付勢されており、この付勢力で解除位置から係止位置へ移動する。そして、回転軸１５はキャップ７の閉作動時におけるストッパー部７４の下側斜面との当接に伴い、前記発火石１１を押し込む下方向及びキャップ７から離れる後退方向に係止位置から解除位置へ移動し、キャップ７が完全に閉状態となったときには、下側斜面から外れて上側斜面に沿って係止位置へ移動し、ストッパー部７４の上部側に係止してキャップ７の閉状態を保持するようになっている。この状態から、前記横車１４の着火操作に連係する押し込み方向の操作に伴って、回転軸１５はストッパー部７４の上側斜面に沿って係止位置から解除位置へ後退移動し、ストッパー部７４との係止が外れる。
【００２６】
上記のような実施の形態におけるライター１の使用態様を、図３〜図７に沿って説明する。前記図１及び図２の状態がライター１の保管時等の非使用時であり、全閉状態にあるキャップ７のストッパー部７４の上部に係止位置にある回転軸１５が係止し、該キャップ７を閉状態にロックしている。
【００２７】
ライター１を使用する際には、まず、図３に示すように、着火のために横車１４を押し回し操作すると、最初の斜め下向きの押し下げにより、横車１４は発火石１１を押し込むように移動し、傾斜溝５２内の回転軸１５は係止位置からストッパー部７４の上側斜面を滑るように解除位置へ移動してストッパー部７４から外れると共に、ヤスリ車１３が回転して発火石１１の擦過により火花が発生する。
【００２８】
次に、図４に示すように、回転軸１５との係止が外れたキャップ７は開閉スプリング７６の付勢力により開作動し、燃焼部材６の先端部が露出すると同時に、前記火花により着火し炎を発生して燃焼する。また、横車１４から指が外れるのに伴い、回転軸１５は石押しスプリング１２の付勢力で傾斜溝５２を解除位置から係止位置へ上方に移動する。
【００２９】
使用を終了して消火する場合には、図５に示すように、キャップ７の閉操作の開始により、炎へキャップ７が覆い被さって消火される。閉回動したキャップ７のストッパー部７４は下側斜面が回転軸１５に当接し、この回転軸１５を押し始める。
【００３０】
次に、図６に示すように、キャップ７がさらに閉回動するのに伴い、ストッパー部７４が回転軸１５を傾斜溝５２の上側縁部に沿って下方及び後方に、すなわち係止位置から解除位置の方向へ移動させる。さらにキャップ７が閉回動して図７に示すように完全に閉状態となると、解除位置に移動した回転軸１５はストッパー部７４の下側斜面から外れて先端部を越えて石押しスプリング１２の付勢力によって上側斜面に沿って上方の係止位置へ移動し、ストッパー部７４の上側斜面に係止して傾斜溝５２の上側縁部との間に挟まり、キャップ７の閉状態を保持する初期状態に戻る。
【００３１】
本実施形態によれば、着火時にはキャップ７を別途に開作動することなく、キャップを閉じた状態のままで横車１４を着火するための押し回し操作によって、キャップ７が開作動すると同時に燃焼部材６に着火が行え、その操作性が良好となっている。また、キャップ７を閉回動することでストッパー部７４がヤスリ車１３の回転軸１５に係止して閉状態が確実に保持され、不用意にキャップ７が開くのを防止している。
【図面の簡単な説明】
【図１】本発明の一つの実施の形態におけるライター上部の側面図
【図２】図１の断面図
【図３】着火及びキャップ開操作開始状態を示すライター上部の側面図
【図４】着火及びキャップ開操作完了状態を示すライター上部の側面図
【図５】消火及びキャップ閉操作開始状態を示すライター上部の側面図
【図６】キャップ閉操作途中状態を示すライター上部の側面図
【図７】キャップ閉操作完了状態を示すライター上部の側面図
【符号の説明】
１    ライター
２    燃料タンク
４    タンク上蓋
５    ブラケット
６    燃焼部材（燃焼芯）
７    キャップ
10    点火手段
11    発火石
12    石押しスプリング
13    ヤスリ車
14    横車
15    回転軸
41    燃焼部材保持部
42    発火石格納部
51    支柱部
52    傾斜溝
53    枢支部
71    内キャップ
74    ストッパー部
75    支軸
76    開閉スプリング
【図１】
0003663326.tif 000002
【図２】
0003663326.tif 000003
【図３】
0003663326.tif 000004
【図４】
0003663326.tif 000005
【図５】
0003663326.tif 000006
【図６】
0003663326.tif 000007
【図７】
0003663326.tif 000008